【手続補正書】
【提出日】平成26年11月27日(2014.11.27)
【手続補正１】
【補正対象書類名】特許請求の範囲
【補正対象項目名】全文
【補正方法】変更
【補正の内容】
【特許請求の範囲】
【請求項１】
耐故障同期整流器レギュレータシステムであって、
電気的バスに結合されるように動作可能なハイサイドスイッチと、
共通の接地に結合されたローサイドスイッチと、
前記ハイサイドスイッチおよび前記ローサイドスイッチに結合されて、第１の故障に応じて開くように動作可能な第１のヒューズと、
前記ハイサイドスイッチおよび前記第１のヒューズに結合されて、電流源に結合されるように、かつ第２の故障に応じて開くように動作可能な第２のヒューズと、
該電流源に結合され、かつ第２のヒューズおよび該ハイサイドスイッチに結合されたバイパス整流器であって、該バイパス整流器における第２の故障に応じて前記第２のヒューズが開く、バイパス整流器と、
を備えるシステム。
【請求項２】
前記第１のヒューズが、前記ハイサイドスイッチにおける第１の故障、および前記ローサイドスイッチにおける第１の故障のうちの１つまたは複数に応じて開き、前記第２のヒューズが前記電流源における第２の故障に応じて開く、請求項１に記載のシステム。
【請求項３】
出力コンデンサおよび前記共通の接地に直列に結合されて、前記出力コンデンサにおける第３の故障に応じて開くように動作可能な第３のヒューズであって、直列二重化コンデンサを備える第３のヒューズと
をさらに備える、請求項１に記載のシステム。
【請求項４】
前記電流源が少なくとも１つの太陽電池パネルを備えており、前記ローサイドスイッチに結合される電気的バスをさらに備え、前記電気的バスが、宇宙船パワーバス、人工衛星パワーバス、船舶電気的バス、自動車電気的バス、および電力網電気的バスのうちの１つを含む、請求項１に記載のシステム。
【請求項５】
前記ハイサイドスイッチが消費電力を低減する、請求項１に記載のシステム。
【請求項６】
自動式耐故障同期整流レギュレーション方法であって、
ハイサイドスイッチ、および共通の接地に結合されたローサイドスイッチを使用して、電流源からの電流を電気的バス用の電流へ同期整流することと、
前記ハイサイドスイッチおよび前記ローサイドスイッチに結合された第１のヒューズを用意することと、
前記ハイサイドスイッチおよび前記第１のヒューズに結合された第２のヒューズを用意することと、
前記電流源に結合されるように、かつ前記第２のヒューズおよび前記ハイサイドスイッチに結合されるように動作可能なバイパス整流器を用意することと、
前記バイパス整流器における故障に応じて前記第２のヒューズを開くことと
を含む方法。
【請求項７】
前記ハイサイドスイッチにおける故障に応じて前記第1のヒューズを開くことと、
前記ローサイドスイッチにおける故障に応じて前記第1のヒューズを開くことと、
前記電流源における故障に応じて前記第２のヒューズを開くことと
をさらに含む、請求項６に記載の方法。
【請求項８】
電気的バスに結合されるように動作可能な出力コンデンサを用意することと、
前記出力コンデンサおよび前記共通の接地に直列に結合される第３のヒューズを用意することと、
前記出力コンデンサにおける故障に応じて前記第３のヒューズを開くことと
をさらに含む、請求項６に記載の方法。
【請求項９】
レギュレータシステムの耐故障同期整流の方法であって、
電気的バスに結合されたハイサイドスイッチ、電流源およびハイサイドスイッチに結合されたバイパス整流器、および共通の接地に結合されたローサイドスイッチを使用して、前記電流源からの電流を前記電気的バス用の電流へ同期整流することと、
前記ハイサイドスイッチにおいて故障が発生した場合に、前記ハイサイドスイッチおよび前記ローサイドスイッチに結合された第１のヒューズを開くことと、
前記ローサイドスイッチにおいて故障が発生した場合に、前記第１のヒューズを開くことと、
前記電流源において故障が発生した場合に、前記ハイサイドスイッチおよび前記ローサイドスイッチに結合された第２のヒューズを開くことと、
前記バイパス整流器において故障が発生した場合に、前記第２のヒューズを開くことと、を含む方法。
【請求項１０】
出力コンデンサおよび前記共通の接地に結合された第３のヒューズを、該出力コンデンサにおいて故障が発生した場合に開くことをさらに含む、請求項９に記載の方法。
【請求項１１】
前記電流源が少なくとも１つの太陽電池パネルを備え、前記電気的バスが、宇宙船パワーバス、人工衛星パワーバス、船舶電気的バス、自動車電気的バス、および電力網電気的バスのうちの１つを含む、請求項１０に記載の方法。
【請求項１２】
前記ハイサイドスイッチを使用することによって消費電力を低減することをさらに含み、前記ハイサイドスイッチがＦＥＴを含む、請求項１０に記載の方法。
【手続補正２】
【補正対象書類名】明細書
【補正対象項目名】００５２
【補正方法】変更
【補正の内容】
【００５２】
同様に、接続詞「および」で結ばれた品目からなる群は、これらの品目のどれもこれもがその分類内に存在することを必要とすると読み取るべきではなく、むしろ、特に明記されていない限り「および／または」と読み取るべきである。同様に、接続詞「または」で結ばれた品目からなる群は、その群の中で相互の排他性が必要とされると読み取るべきではなく、むしろ、特に明記されていない限り「および／または」と読み取るべきである。さらに、本開示の品目、素子、または構成要素は、単数形で説明または特許請求されることがあるが、単数への限定が明記されていない限り、複数形が本開示の範囲内であることが企図されている。「１つまたは複数の」、「少なくとも」、「それだけには限らないが」などの拡大語句、または場合により他の同じような句が存在することで、このような拡大句がない場合に、より狭い事例が意図されている、または必要とされているものと読み取るべきではない。
また、本願は以下に記載する態様を含む。
（態様１）
耐故障同期整流器レギュレータシステムであって、
電気的バスに結合されるように動作可能なハイサイドスイッチと、
共通の接地に結合されたローサイドスイッチと、
前記ハイサイドスイッチおよび前記ローサイドスイッチに結合されて、第１の故障に応じて開くように動作可能な第１のヒューズと、
前記ハイサイドスイッチおよび前記第１のヒューズに結合されて、電流源に結合されるように、かつ第２の故障に応じて開くように動作可能な第２のヒューズと
を備えるシステム。
（態様２）
前記第１のヒューズが、前記ハイサイドスイッチにおける第１の故障、および前記ローサイドスイッチにおける第１の故障のうちの１つまたは複数に応じて開き、前記第２のヒューズが前記電流源における第２の故障に応じて開く、態様１に記載のシステム。
（態様３）
前記電流源に結合され、かつ前記第２のヒューズおよび前記ハイサイドスイッチに結合されるバイパス整流器であって、前記第２のヒューズが前記バイパス整流器における前記第２の故障に応じて開くバイパス整流器と、
出力コンデンサおよび前記共通の接地に直列に結合されて、前記出力コンデンサにおける第３の故障に応じて開くように動作可能な第３のヒューズであって、直列二重化コンデンサを備える第３のヒューズと
をさらに備える、態様１に記載のシステム。
（態様４）
前記電流源が少なくとも１つの太陽電池パネルを備えており、前記ローサイドスイッチに結合される電気的バスをさらに備え、前記電気的バスが、宇宙船パワーバス、人工衛星パワーバス、船舶電気的バス、自動車電気的バス、および電力網電気的バスのうちの１つを含む、態様１に記載のシステム。
（態様５）
前記ハイサイドスイッチが消費電力を低減する、態様１に記載のシステム。
（態様６）
自動式耐故障同期整流レギュレーション方法であって、
ハイサイドスイッチ、および共通の接地に結合されたローサイドスイッチを使用して、電流源からの電流を電気的バス用の電流へ同期整流することと、
前記ハイサイドスイッチおよび前記ローサイドスイッチに結合された第１のヒューズを用意することと、
前記ハイサイドスイッチおよび前記第１のヒューズに結合された第２のヒューズを用意することと
を含む方法。
（態様７）
前記ハイサイドスイッチにおける故障に応じて前記第1のヒューズを開くことと、
前記ローサイドスイッチにおける故障に応じて前記第1のヒューズを開くことと、
前記電流源における故障に応じて前記第２のヒューズを開くことと
をさらに含む、態様６に記載の方法。
（態様８）
前記電流源に結合されるように、かつ前記第２のヒューズおよび前記ハイサイドスイッチに結合されるように動作可能なバイパス整流器を用意することと、
前記バイパス整流器における故障に応じて前記第２のヒューズを開くことと
をさらに含む、態様６に記載の方法。
（態様９）
電気的バスに結合されるように動作可能な出力コンデンサを用意することと、
前記出力コンデンサおよび前記共通の接地に直列に結合される第３のヒューズを用意することと、
前記出力コンデンサにおける故障に応じて前記第３のヒューズを開くことと
をさらに含む、態様８に記載の方法。
（態様１０）
レギュレータシステムの耐故障同期整流の方法であって、
電気的バスに結合されたハイサイドスイッチ、電流源およびハイサイドスイッチに結合されたバイパス整流器、および共通の接地に結合されたローサイドスイッチを使用して、前記電流源からの電流を前記電気的バス用の電流へ同期整流することと、
前記ハイサイドスイッチにおいて故障が発生した場合に、前記ハイサイドスイッチおよび前記ローサイドスイッチに結合された第１のヒューズを開くことと、
前記ローサイドスイッチにおいて故障が発生した場合に、前記第１のヒューズを開くことと、
前記電流源において故障が発生した場合に、前記ハイサイドスイッチおよび前記ローサイドスイッチに結合された第２のヒューズを開くことと、
前記バイパス整流器において故障が発生した場合に、前記第２のヒューズを開くことと、
前記出力コンデンサにおいて故障が発生した場合に、出力コンデンサおよび前記共通の接地に結合された第３のヒューズを開くことと
を含む方法。
（態様１１）
前記電流源が少なくとも１つの太陽電池パネルを備え、前記電気的バスが、宇宙船パワーバス、人工衛星パワーバス、船舶電気的バス、自動車電気的バス、および電力網電気的バスのうちの１つを含む、態様１０に記載の方法。
（態様１２）
前記ハイサイドスイッチを使用することによって消費電力を低減することをさらに含み、前記ハイサイドスイッチがＦＥＴを含む、態様１０に記載の方法。